(57)【要約】【課題】  既製のレンチキュラーレンズ板を用いずに、レンズ樹脂の印刷とレンズの成形工程で製造できる立体画像および／または変化画像を有する立体画像等の再現性の優れたレンチキュラーレンズ印刷物と製造方法を提供する。【解決手段】  本発明のレンチキュラーレンズ印刷物１ｐは、レンチキュラーレンズを用いた立体画像２および／または変化画像３を有する印刷物であって、当該レンチキュラーレンズ５が、シルクスクリーン印刷した紫外線硬化型樹脂を透明なレンチキュラーレンズ母型を用いて成形し、硬化させ、レンチキュラーレンズピッチを７５〜１８０μｍ、高さを１００〜４００μｍとしたことを特徴とする。このような印刷物は、立体画像および／または変化画像を印刷した印刷基材面に紫外線硬化型レンズ樹脂をスクリーン印刷した後、位置合わせしたレンズ母型を押圧して成形し、同時に紫外線照射してレンズ形状を形成することを特徴とする。【選択図】    図１
2006251608.tif 000002
【特許請求の範囲】
【請求項１】
印刷面の一部に、レンチキュラーレンズを用いた立体画像および／または変化画像を有する印刷物であって、当該レンチキュラーレンズが、シルクスクリーン印刷により印刷した紫外線硬化型樹脂を透明なレンチキュラーレンズ母型を用いて成形し、同時に紫外線照射して硬化させたものであることを特徴とするレンチキュラーレンズ印刷物であって、当該シルクスクリーン印刷の盛り量に適合したレンチキュラーレンズのピッチが、７５μｍ〜１８０μｍの範囲であって、印刷面からレンチキュラーレンズ頂部までの高さが、１００μｍ〜４００μｍの範囲であることを特徴とするレンチキュラーレンズ印刷物。
【請求項２】
印刷面に立体画像と変化画像を有する場合において、立体画像と変化画像のレンチキュラーレンズの方向が互いに直交する向きにされていることを特徴とする請求項１記載のレンチキュラーレンズ印刷物。
【請求項３】
立体画像用のレンチキュラーレンズが印刷物を人間が印刷物を観察する際の両眼を結ぶ線に直交する方向に長さ方向を有するものであり、変化画像用のレンチキュラーレンズが両眼を結ぶ線に平行する方向に長さ方向を有するものであることを特徴とする請求項２記載のレンチキュラーレンズ印刷物。
【請求項４】
レンチキュラーレンズを用いた立体画像および／または変化画像を有する印刷物であって、印刷物の基材面に接着剤を介さずにレンチキュラーレンズが形成されており、当該レンチキュラーレンズのピッチが、７５μｍ〜１８０μｍの範囲であって、印刷面からレンズ頂部までの高さが、１００μｍ〜４００μｍであることを特徴とするレンチキュラーレンズ印刷物。
【請求項５】
レンチキュラーレンズの下面の立体画像が、４００線／ｉｎ．から７００線／ｉｎ．のオフセット印刷で印刷されていることを特徴とする請求項１または請求項４記載のレンチキュラーレンズ印刷物。
【請求項６】
印刷面の一部に、レンチキュラーレンズを用いた立体画像および／または変化画像を有する印刷物の製造方法であって、（１）印刷材料面にオフセット印刷により立体画像および／または変化画像用絵柄を所定のレンズピッチ間隔で印刷する工程、
（２）当該立体画像および／または変化画像用絵柄印刷面部分に、紫外線硬化型樹脂をシルクスクリーン印刷により所定のレンズピッチで印刷する工程、（３）当該立体画像または変化画像用絵柄とレンズピッチが合致する透明なレンズ母型を用い、当該絵柄のピッチと母型のレンズピッチを位置合わせして前記紫外線硬化型インキによる樹脂上から押圧して成形する工程、（４）押圧状態で該樹脂を前記レンズ母型上面から紫外線照射して硬化させる工程、（５）該樹脂の硬化後、レンズ母型を剥離する工程、を有することを特徴とするレンチキュラーレンズ印刷物の製造方法。
【請求項７】
レンズ母型が、透明なポリプロピレン樹脂板にレンズ溝を刻設したものであることを特徴とする請求項６記載のレンチキュラーレンズ印刷物の製造方法。
【発明の詳細な説明】
【技術分野】
【０００１】
この発明はレンチキュラーレンズ印刷物とその製造方法に関する。
従来から３次元立体視を可能にするものとして、レンチキュラーレンズ印刷物が知られている。このようなレンチキュラーレンズ印刷物は立体画像または変化画像が形成されているので、観る者の注目を集め易く、ポスター等に使用しても宣伝効果の高いものとなっている。また、絵本や雑誌、包装用カートン等に用いても商品価値の高いものとなる。
したがって、本発明の利用分野は書籍や雑誌、カード、ポスター等の製造、加工、出版の分野、あるいは包装や流通の分野に関する。
【背景技術】
【０００２】
立体画像印刷物は、二次元の画像を細線画像にしてレンチキュラーレンズのレンズピッチに合わせてストライプ状に配置した立体画像用絵柄を、レンチキュラーレンズの裏面に積層したものである。
一般に二次元画像から立体画像を得るには、ある定位置から見た右目用および左目用の画像が最低限一組必要であり、レンチキュラーレンズによる立体画像印刷物でも、一組の右目用絵柄および左目用絵柄を帯状にレンチキュラーレンズのレンズピッチの１ピッチを２分するように分配して配置したものを用いる。また、視点の位置を左または右方向に移動させた時にまわりこんだ立体画像が見られるようにするには、絵柄をさらに細分して、異なる視点からの画像を帯状に配置するようにする。
【０００３】
変化画像は、画像が連続的に変化する場合と形状が全く別のものに変化する場合とがある。後者の形状変化画像は見る方向によって形状が２種以上に変化する画像であって、同様に帯状に細分化された画像がレンチキュラーレンズ板の下面に、レンチキュラーレンズのピッチに合致するように設けられている。このような立体画像または変化画像は、鑑賞媒体として葉書大からＡ４判程度の大きさのものに製造されるか、装飾媒体として比較的小サイズに形成されることが通常である。また、ポスターなどの大サイズの宣伝広告用印刷媒体の場合は、その一部に設けられるのが通常である。
それらの製造工程には、いずれの場合も特製したレンチキュラーレンズ板を、そのピッチがあらかじめレンズピッチに合致するように印刷した立体画像用絵柄または変化画像用絵柄に、位置合わせして貼り合わせする工程が含まれている。
なお、このようなレンチキュラーレンズ板の従来例としては、レンズピッチが０．６ｍｍで、レンズ板全体の厚みが、１．４ｍｍ程度のものが多用されている。
【０００４】
レンチキュラーレンズ印刷物の具体的な製造方法例として、ＰＥＴ（ポリエチレンテレフタレート）フィルムに直接、白インキ、黄、紅、藍、墨インキをレンチキュラーレンズピッチに合わせて印刷する方法、アクリル射出成形レンズに印画紙、カラーフィルムを貼り合わせる方法、ＰＥＴフィルムにレンチキュラーレンズ母型で熱プレスしてレンズを作成し、レンズピッチに合わせて印刷した紙、フィルム、インキジェット出力紙、をフィルムに接着剤を用いて貼り合わせる方法がある。これらの共通の問題点は、前もってレンチキュラーレンズ板を準備しなければならず、直接印刷では印刷見当が合うまでのレンズ板の印刷ロスが大きくなる問題がある。また、貼り合わせ方式では、貼り合わせるのに接着剤を塗布しレンズピッチに合わせて、紙、フィルムの事前印刷、インキジェット出力、フィルム貼り合わせの工程が伴い、作業負荷が大きくなる問題がある。
【０００５】
立体画像の撮影は、５個ないし６個のレンズが、１．６ｍ〜２．０ｍの範囲に水平に並んでいる大型カメラを用いて同時に写真撮影する。精細な立体画像を作成する場合は、カメラをレール上で移動しながら８枚ないし１２枚の写真を撮影する。屋外遠距離風景等の撮影ではカメラの撮影間隔を約２ｍ以上必要とする。風景が僅かでも変化しないうちに、特に短時間内に写真撮影しなければならない問題がある。
立体画像を作成する場合は、各撮影写真の横幅を圧縮して１枚の画像に合成するようにする。圧縮率は合成する原写真の枚数による。例えば、８枚の原画から１枚に合成する場合は、横幅を１／８に圧縮する。各圧縮画像をさらに画面に使用するレンチキュラーレンズの本数に合わせて縦に裁断する。そして、１本のレンチキュラーレンズの下面に８本の細線画像を順番に配置する。なお、圧縮とか裁断、配置といっても手作業で行うわけではない。圧縮はスキャナの横送り速度と回転速度により容易に調整できる。他に、コンピュータのソフトウェアを使用して処理する方法がある。裁断や配置もコンピュータとソフトウェアを使用して処理する。
【０００６】
本願はこのようにして、立体画像や変化画像を作成し、その後、印刷版としオフセット印刷した印刷物にレンチキュラーレンズを位置合わせして取り付けする技術に関するものである。従来のレンズ板を接着する方法とは異なり、オフセット印刷物にシルクスクリーン印刷によりレンズ樹脂を印刷し、その後レンズ母型を用いて成形する特徴がある。
【０００７】
本願に関連する先行文献について調査すると特許文献１〜特許文献４が検出される。
特許文献１は、「立体・可変印刷物」、特許文献２は、「レンチキュラー印刷物」、特許文献３は、「立体用又は可変用印刷物」に関するが、いずれもレンチキュラーレンズシートを貼り合わせする工程が記載されている。
特許文献４は、「印刷物のレンチキュラー加工方法、及びレンチキュラー加工物」について記載し、紫外線硬化樹脂を使用することも記載しているが、レンチキュラーレンズを成形する透光性樹脂の厚みを均一化して積層する方法を採用しており、その点において本願と相違している。
【０００８】
【特許文献１】特許第３１２３５２７号公報
【特許文献２】特開平８−２３４３３５号公報
【特許文献３】特開平９−２３７０５５号公報
【特許文献４】特開２００２−９０９１９号公報
【発明の開示】
【発明が解決しようとする課題】
【０００９】
従来のようなレンチキュラーレンズ板の貼り合わせによる方法は、レンズ板の製造や裁断、貼り合わせ工程等を必然的に招来し印刷物をコスト高なものにしていた。特に、レンズ板の製造は、特別な材料や製造装置を必要とし、目的に合うレンズ板は、一般には容易に入手できないか入手しても高価なものとなっていた。また、レンチキュラーレンズ板の使用は自由な画像外形形状の制限を生じ、貼り合わせ精度の問題から立体画像または変化画像の品質にも影響する問題があった。
そこで、本発明は、品質の高い立体画像または変化画像を有するレンチキュラーレンズ印刷物を実現することと、当該印刷物を連続的に生産できること、を研究して本発明の完成に至ったものである。
【課題を解決するための手段】
【００１０】
上記課題を解決するための本発明の要旨の第１は、印刷面の一部に、レンチキュラーレンズを用いた立体画像および／または変化画像を有する印刷物であって、当該レンチキュラーレンズが、シルクスクリーン印刷により印刷した紫外線硬化型樹脂を透明なレンチキュラーレンズ母型を用いて成形し、同時に紫外線照射して硬化させたものであることを特徴とするレンチキュラーレンズ印刷物であって、当該シルクスクリーン印刷の盛り量に適合したレンチキュラーレンズのピッチが、７５μｍ〜１８０μｍの範囲であって、印刷面からレンチキュラーレンズ頂部までの高さが、１００μｍ〜４００μｍの範囲であることを特徴とするレンチキュラーレンズ印刷物、にある。
【００１１】
上記課題を解決するための本発明の要旨の第２は、レンチキュラーレンズを用いた立体画像および／または変化画像を有する印刷物であって、印刷物の基材面に接着剤を介さずにレンチキュラーレンズが形成されており、当該レンチキュラーレンズのピッチが、７５μｍ〜１８０μｍの範囲であって、印刷面からレンズ頂部までの高さが、１００μｍ〜４００μｍであることを特徴とするレンチキュラーレンズ印刷物、にある。
【００１２】
本発明の要旨の第３は、印刷面の一部に、レンチキュラーレンズを用いた立体画像および／または変化画像を有する印刷物の製造方法であって、（１）印刷材料面にオフセット印刷により立体画像および／または変化画像用絵柄を所定のレンズピッチ間隔で印刷する工程、（２）当該立体画像および／または変化画像用絵柄印刷面部分に、紫外線硬化型樹脂をシルクスクリーン印刷により所定のレンズピッチで印刷する工程、（３）当該立体画像または変化画像用絵柄とレンズピッチが合致する透明なレンズ母型を用い、当該絵柄のピッチと母型のレンズピッチを位置合わせして前記紫外線硬化型インキによる樹脂上から押圧して成形する工程、（４）押圧状態で該樹脂を前記レンズ母型上面から紫外線照射して硬化させる工程、（５）該樹脂の硬化後、レンズ母型を剥離する工程、を有することを特徴とするレンチキュラーレンズ印刷物の製造方法、にある。
【発明の効果】
【００１３】
（１）本発明のレンチキュラーレンズ印刷物は、レンチキュラーレンズが立体画像用絵柄または変化画像用絵柄の上にシルクスクリーン印刷とレンズ母型の成形により形成されているので、レンズシートの厚みを薄くし体裁のよい印刷物にすることができる。
（２）レンチキュラーレンズ自体をシルクスクリーン印刷と成形工程で形成できるので、レンチキュラーレンズの設計やレンズを設ける部分の外形を任意の形状にできる。
（３）立体画像用または変化画像用絵柄を印刷した用紙に対して、特殊シルクスクリーン印刷機を用いて連続した工程でシルク印刷し、レンチキュラーレンズ成形し印刷物を製造できる。したがって、印刷絵柄とレンズの位置合わせ精度が高まり、高品質のレンチキュラーレンズ印刷物が得られる。
（４）別途の工程によるレンチキュラーレンズシートの製造やレンズシートの裁断、貼り合わせ工程を必要としないので、作業負荷やロスが少なくなり、印刷物の製造コストを低減できる。
（５）従来品に比べて薄い印刷物となるため、印刷物の汎用性が高くなる。
（６）使用後の印刷物が古紙として回収使用でき、環境を悪化させない利点がある。
【発明を実施するための最良の形態】
【００１４】
以下、図面を参照して本発明のレンチキュラーレンズ印刷物とその製造方法について説明する。図１は、レンチキュラーレンズ印刷物の例を示す図、図２は、レンチキュラーレンズ印刷物を観察する状態を示す図、図３は、立体画像の製版工程を説明する図、図４は、印刷紙のピン穴を示す図、図５は、レンズ母型での成形工程を説明する図、である。
【００１５】
レンチキュラーレンズ印刷物は各種の用途に用いられるが、例えば図１のように、ポスター１ｐの形態にすることができる。図１の場合、立体画像２と変化画像３部分がポスター１ｐの通常の印刷絵柄４中に形成されている。
通常の印刷絵柄４は、立体画像用絵柄または変化画像用絵柄と共にオフセット印刷されるが、少なくとも立体画像用または変化画像用絵柄部分は、精細または高精細なオフセット印刷されることが好ましい。精細印刷の場合、スクリーン線数では、４００線／ｉｎ．から５００線／ｉｎ．未満程度、高精細では、５００線／ｉｎ．〜７００線／ｉｎ．程度のものとなる。
【００１６】
紙に印刷する場合、レンチキュラーレンズ５の長さ方向は紙の流れ方向（抄紙方向）に直交する方向に形成するのが好ましく、立体画像用絵柄もその方向に一致するように印刷する。紙の流れ方向（抄紙方向）に直交する幅方向はオフセット印刷による吸湿により伸縮を生じ易くレンズピッチと絵柄が一致し難くなるからである。合成紙の場合は伸縮は少ない。紙でもドライオフセットの場合は伸縮の影響は少なくできる。したがって、縦横双方向のレンチキュラーレンズが用いられる場合は、合成紙を用いるのが好ましい。
【００１７】
立体画像２部分は、図中の破線で示すようにレンチキュラーレンズの方向が、印刷物を人間が観察する際の両眼を結ぶ線に直交する方向に長さ方向を有するように配置する。
すなわち、図１のポスター１ｐにおいて、上辺Ｕと下辺Ｄが垂直になるように吊るした場合は、立体画像２部分のレンチキュラーレンズ５は鉛直方向に長さ方向を有するようにする。立体画像２は人間が起立して観察した際に、両眼の視差により立体視できるように印刷されているからである。印刷物を平面に置いて観察する場合は、印刷物の遠方側から観察者の手前に向けてレンチキュラーレンズ５が長さ方向を持つべきことは容易に類推できる。
【００１８】
変化画像には形状や模様、色彩が視角により次第に変化する場合と、画像や文字が異なる画像、文字（隠し画像ともいう。）、色彩に突然切り替わる場合とがある。前者の変化画像は立体画像と同様に扱うのが好ましいと考えられる。
一方、後者の変化画像３部分は、左右両眼の視差により立体視するものではなく、両眼の視角により異なる画像が現れる印刷物である。この場合は、一定の視角で左右両眼に対して同一に出現する画像が求められる。後者の変化画像３部分のレンチキュラーレンズは、通常両眼を結ぶ線に平行する方向に長さ方向を有するように配置される。すなわち、上記のようにポスター１ｐを上辺Ｕと下辺Ｄが垂直になるように吊るした場合は、変化画像３部分のレンチキュラーレンズは水平方向に長さを有することになる。
もっとも、印刷物１が鉛直に吊るす用途に限られず、各種の状態で観察される場合は、特にこのような条件を考慮しなくてもよい。変化画像３を水平レンチにする場合、視角が制限されるので、３変化程度となる。ただし、垂直レンチキュラーレンズの場合、本発明の印刷物では６変化程度が可能となる。
【００１９】
図１において、略円形で示した枠Ｃ内にはレンチキュラーレンズ５が垂直に配列している。ポスター１ｐを観察する際に、両眼をポスター１ｐのほぼ中心に置いた場合は、ビール缶の立体画像２は枠Ｃの中央にみえるが、両眼を左右に動かした場合は立体画像２も左右に移動する。絵柄が動けるように、立体画像用絵柄とレンチキュラーレンズは幅広に設けられている。すなわち、レンチキュラーレンズは実際のビール缶の絵柄の実像幅よりは左右に広く設けている。枠Ｃは便宜的に円形に描いているが、実際は左右に広い形状になる。変化画像３の場合も同様であるが、図１の場合、上下方向に広がっている。
【００２０】
レンチキュラーレンズ５のピッチは７５μｍから１８０μｍが好ましい。７５μｍ未満では、印刷や成形が困難になる問題があるからである。印刷のインキ盛り量はレンズピッチとレンズ高さに適合したものとする。そのためには、スクリーン版のメッシュ数や厚み、スキージ圧等を調整する。ピッチが１８０μｍ以上であるとレンズ厚を厚くする必要があり印刷の盛りが困難になる。また、紙の再生用途に使用する場合にも妨げとなる場合がある。
【００２１】
図２は、レンチキュラーレンズ印刷物を観察する状態を示す図であって、用紙１０の上にレンチキュラーレンズ印刷物１を形成した場合のレンチキュラーレンズ５の長さ方向に直交する断面が表れている。印刷物１は白色等の用紙１０の上に立体画像用絵柄２Ｇが印刷されている。立体画像用絵柄２Ｇは、レンチキュラーレンズ５のピッチｐに合致するように印刷される。後に説明するように、各レンチキュラーレンズの背面には、オリジナル写真枚数に相当する細線画像が配置されているものである。
変化画像の場合も同様であるが、視角によって１の視角からは、例えば「新発売」の文字、他の視角からは「マーク」等の絵柄が観察できるようにされている。
【００２２】
本発明の印刷物は以上のように、レンチキュラーレンズ５自体をシルクスクリーン印刷による透光性レンズ樹脂塗工と、その後のレンズ母型による成形で形成できるので、レンズを設ける部分の外形を、例えば、図１においてビール缶の外観形状にするように、任意の形状にすることができ、従来のようにレンチキュラーレンズシートの裁断のような工程を必要としない。また、シルクスクリーン印刷で行うことにより、完全スポット（部分）加工が可能となる。またさらに、このようなレンチキュラーレンズは従来のように接着剤を使用する接着工程を必要としないので、立体画像の透明性を優れたものにできる。
本発明のレンチキュラーレンズ印刷物はこのような製造工程により製造されたものに限定され、他の製造方法により製造された印刷物を含まないものである。
【００２３】
次に、レンチキュラーレンズ印刷物の製造方法について説明する。
本発明のレンチキュラーレンズ印刷物の全製造工程は、（１）立体画像の製版工程、
（２）立体画像の印刷工程、（３）レンズ樹脂のシルクスクリーン印刷工程、（４）レンズ樹脂のレンズ母型による成形工程、の工程で行われる。なお、立体画像と変化画像の双方の絵柄を有する場合も同様であるが、この場合のレンズ樹脂の印刷は２回の工程で行うことが好ましい。また、大判のレンズ母型が得られない場合の成形は２回〜３回の工程で行ってもよい。
【００２４】
（１）立体画像の製版工程
オリジナル写真を横圧縮して立体画像にする工程については先に概説したが、以下、図面を参照して詳述する。ここでは、６枚の撮影写真を使用するものとする。もちろん、同一の被写体を撮影位置を順次変えて撮影したものである。
図３のように、６枚のオリジナル写真を１／６に横圧縮した画像Ａ，Ｂ，Ｃ，Ｄ，Ｅ，Ｆを作成する。横圧縮画像Ａ，Ｂ，Ｃ，・，Ｆは撮影位置順に配列するものである。スキャナーで色分解圧縮画像を作製する場合はアナログ処理されるが、コンピュータを使用したデジタル処理も可能である。
【００２５】
次に、各色分解圧縮画像を、各レンチキュラーレンズの下面に配列するための細線画像に裁断する。例えば、立体画像が、ピッチ１５０μｍのレンチキュラーレンズを使用し、横幅１５ｃｍの絵柄を作る場合には、レンズ本数は１０００本になる。したがって、それぞれの横圧縮画像Ａ，Ｂ，Ｃ，・・を１０００本ずつに裁断する。例えば、画像Ａは、図３のように左端からＡ１，Ａ２，・，Ａｎ（ｎ＝１０００）の細線画像に裁断する。オリジナル写真の幅が１５ｃｍの幅の場合は、１本の細線画像は２５μｍ幅になる。
【００２６】
次いで、Ａ１，Ｂ１，・，Ｆ１の６本の１セットを組み合わせて、第１番目（最左端）のレンチキュラーレンズの下に配置するようにする。Ａ２，Ｂ２，・，Ｆ２の１セットは第２番目のレンチキュラーレンズの下に配置される。同様にして、Ａｎ，Ｂｎ，・，Ｆｎ（ｎ＝１０００）の１セットを第ｎ（ｎ＝１０００）番目（最右端）のレンチキュラーレンズの下に配置する。１セットが１５０μｍ幅であるから１０００セットで１５０ｍｍ幅になる。これらの処理はコンピュータを使用したデジタル処理（特に、クロップ・プレス処理）で行われるものである。
【００２７】
このようにして組合せ、再配置した立体画像２Ｒを、刷色によりスクリーン角度を変えて、４００線／ｉｎ．〜７００線／ｉｎ．の網ポジ（シアン、マゼンタ、黄、墨版）にする。あるいは、直接印刷版に製版してオフセット印刷を行う。
立体画像の印刷物２Ｇにレンチキュラーレンズ５を取り付けした後は、図２のような状態になる。この状態で人間Ｍの目で右側から見れば主としてレンズ下の右側の立体画像が見やすく、左側から見ればレンズ下の左側の立体画像が見やすくなる。
【００２８】
従来、１本のレンチキュラーレンズ下に右目用原稿と左目用原稿の一組を配置する説明がされている特許明細書等もあるが、左右の原稿が１セットの場合のことで、多数の写真を使用する場合は、上記のようにされる。
視点の位置を左または右方向に移動させた時に回りこんだ立体画像が見られるようにするには、さらに写真枚数を多くし（８枚〜１２枚）、横圧縮した画像のそれぞれをさらに裁断して、異なる視点からの絵柄を細線にして配置する必要がある。
【００２９】
（２）立体画像の印刷工程
立体画像用絵柄の印刷は、精細または高精細のオフセット印刷で行うのが好ましい。通常のオフセット印刷では、画像の濃度階調表現は網点の大小によって表現するが、立体画像印刷物ではこの網点によってモアレが発生し易い。すなわち、網点は、ドットとドットの間隔が一定で規則的に配置され、その配置の規則性のゆえに複数の網点を重ね合わせたときにモアレが発生し易いからである。したがって、従来より通常のカラー印刷でも、カラー原稿を色分解して色分解版とし、次いで各色分解版を網点分解して網点面積の大小による網点階調の網点画像とする際に、各色毎の網目スクリーンの角度をずらすことで、モアレの発生を極力小さくするようにしている。
【００３０】
しかし、レンチキュラーレンズを使用する立体画像印刷においては、断面がかまぼこ状のレンズが一定ピッチで二次元配列しているため、さらにモアレが発生し易く、網目スクリーン角度の設定が一層難しくなる問題がある。
また、立体画像印刷では、複数の視差を持った画像を圧縮して一枚の画像サイズにする必要があり、通常の印刷物と同一線数の網目スクリーンを用いても、立体画像印刷物では解像度が落ちてしまう。したがって、立体画像部分は４００線／ｉｎ．から７００線／ｉｎ．のスクリーン線数を用いて印刷するのが好ましい。
【００３１】
各印刷紙（枚葉の場合）にはシルクスクリーン印刷やレンズ母型との位置合わせのためのピン穴を、印刷紙のくわえ部分や左右２点に開口する。図４は、そのような印刷紙のピン穴を示す図である。図４の場合、ピン穴はくわえ部分にｐ１，ｐ２の２個を形成しているが、レンズ母型を複数使用するような場合は、４個または６個形成してもよい。
その位置もくわえ部分にかぎらず紙面の両側であってもよい。なお、符号２は立体画像、符号３は変化画像を示している。
【００３２】
（３）レンズ樹脂のシルクスクリーン印刷工程
ａ．スクリーン印刷版の準備
スクリーン印刷版は感光材料を塗工したスクリーン生地を使用する。レンズ樹脂印刷版用スクリーン生地はメッシュ数が、３００線／ｉｎ．から４５０線／ｉｎ．程度のものを使用する。スクリーン生地材料は通常ポリエステルやナイロン、あるいはステンレスやスチール材料が用いられるが、いずれであっても構わない。この生地の上に、ライン−アンド−スペースからなるパターンのポジフィルムを密着して露光し、その後現像することにより所定ピッチで所定開口幅を有するスクリーン印刷版が得られる。
スクリーン生地の縦横のメッシュのいずれかの方向がレンチキュラーレンズの長さ方向に一致するようにする。
【００３３】
ｂ．レンズ樹脂の印刷
レンズ樹脂のシルクスクリーン印刷には、紫外線硬化型の透光性樹脂インキを使用する。印刷後、短時間に硬化させるためである。透光性のある材料が望まれるので、インキといっても着色料を含まない無色透明なものが好ましい。
レンチキュラーレンズ樹脂の印刷は、スクリーン版のレンチキュラーレンズの長さ方向にスキージーが走行するように版を取り付けする。立体画像と変化画像用のレンチキュラーレンズが直交する場合は２回の工程で印刷することが好ましいが、母型による成形が行われるので同時の印刷でもあまり形状を損なうことはない。
【００３４】
レンチキュラーレンズ樹脂の印刷とレンズ成形で特に注意することは、立体絵柄２Ｇの印刷位置とレンチキュラーレンズの位置（レンズと直交する方向の位置精度）を正確に一致させることである。レンズ自体が７５μｍ〜１８０μｍのピッチであるから、立体絵柄との位置精度は０．１μｍ以下の誤差精度で合わせる必要があり、それ以上の大きい誤差が生じる場合は立体再現性が低減する。そのため、単なる検知器による位置合わせではなく、印刷物のピン穴とスクリーン枠に設けたピンとの嵌合により、高精度な位置合わせを実行する必要がある。
【００３５】
印刷後は、印刷面のレンズ樹脂が軟質で多少流動するので、レンズ間の間隙が狭まるか接触して隙間が塞がれる。多少隙間が残ってもよい。ただし、インキの粘度を余り小さくすると平坦なレンズ面になってしまうので、適当なインキ粘度を保持するように調整する必要がある。シルクスクリーン印刷の版面上のレンズ幅は、インキをレンズ形状に成形した際の容積と同等になるように調整する。すなわち、印刷直後の断面積とレンズ成形後の断面積がほぼ同等になるようにする。
【００３６】
（４）レンズ樹脂のレンズ母型による成形工程
図５は、レンズ母型での成形工程を説明する図である。
スクリーン版６を除去した後のレンズ樹脂５ａは流動性を持つので多少流れて断面矩形状は頂部がなだらかな曲面形状になるが、設計された完全なレンズ形状にはなっていない（図５（Ａ））。そこで、透光性レンズ樹脂５ａ面に光学的に設計し、レンズ溝を刻設した透明なレンチキュラーレンズ母型７を押圧し、レンズ形状を成形すると同時にＵＶランプ（紫外線光源）８を照射してレンズ樹脂を硬化させる（図５（Ｂ））。レンズ母型７には、人間の両眼の間隔（約６５ｍｍ）に対して２４度の角度で位置する物体を見易いように設計した２４度角度レンズ母型等が用いられる。紫外線照射後、レンズ母型７を剥離すれば、成形されたレンズ面を有するレンチキュラーレンズ印刷物１が完成している（図５（Ｃ））。
【００３７】
レンズ母型７による成形も高精度の位置合わせが必要になる。寧ろ、レンズ樹脂５ａの印刷よりもレンズ母型の位置精度に高い精度が求められる。最終的なレンズ位置は、レンズ母型によって決定されるからである。この位置合わせも、印刷物のピン穴とレンズ母型取り付け治具枠に設けたピンとを嵌め込みすることにより行う。ただし、レンチキュラーレンズの長さ方向の位置合わせには精度を必要としない。母型のレンズの長さ方向は通常、絵柄以上の長さに余裕をもって形成してあるからである。
レンズ樹脂の印刷後、レンズ母型による成形前は樹脂が未硬化の状態にあるので、連続したラインで行う必要がある。これにより印刷紙の伸縮等の影響も最小にできる。
【００３８】
レンズ母型７は印刷物が大サイズの場合、大サイズの母型を入手し難いので、分割して成形することができる。例えば、Ｂ全ポスターをつくる場合、四六判半裁の母型を移動して３回押しで成形することができる。この場合、Ｂ全ポスターのくわえ部分に位置決め用のピン穴を６穴あけてレンズ母型のピンを移動して成形することができる。特に、縦レンチと横レンチを分離した母型とする場合には、２回押しが必要になる。
レンズ母型は成形を繰り返すうちに、目詰まり等を生じることがあるので、印刷物の進行方向に連続して同一型の予備型を１以上設け、他の型の使用中に他方の型を溶剤で洗浄するようにする。
【００３９】
当該レンチキュラーレンズのピッチは、７５μｍ〜１８０μｍの範囲にする。より好ましくは、８０μｍ〜１６０μｍである。薄層の高精細レンズとする目的とするからである。また、印刷面からレンズ頂部までの高さｈ（図２参照）は、１００μｍ〜４００μｍ程度とする。レンズピッチに対応した高さとするためである。また、レンズ間をつなぐ谷部の厚みは、レンズピッチやレンズ高さに応じて３μｍ〜１５０μｍの範囲程度とする。
レンズピッチｐと高さｈの関係は、レンズの形状や樹脂の屈折率に関係し一律に定まらないが、通常は上記範囲に納まれば良い結果が得られることが確認されている。
【００４０】
＜使用材料の実施形態について＞
（１）印刷基材
印刷基材材料としては、通常の出版印刷や宣伝広告物に用いられる各種の用紙であって表面性状の優れたものが用いられる。例えば、ミラーコート紙、コート紙、アート紙、上質紙等であるが、包装材料に用いられるカートン用紙や板紙であってもよい。また、合成紙（商品名として、「ユポ（商標）」「ピーチコート（商標）」等）も伸縮が少ない点から好ましい。
透明プラスチックシート材料としては、ポリ塩化ビニル、ポリプロピレン、ポリエチレンテレフタレート（ＰＥＴ）、ポリカーボネート、ポリスチレン、アクリル、等を用いることができる。
【００４１】
（２）レンズ用樹脂
レンズ用樹脂は紫外線などの活性光線の照射によって、ラジカル重合により硬化する樹脂である。ラジカル重合性硬化型樹脂は、一般に光重合性プレポリマーを基本成分とし、所望により光重合性モノマー、光重合性開始剤およびその他の添加物を含有するものである。光重合性プレポリマーとしては、例えばポリエステルアクリレート系、エポキシアクリレート系、ウレタンアクリレート系、ポリオールアクリレート系などが挙げられる。
未硬化の状態で液状または軟化状態の透光性紫外線硬化型樹脂を使用できる。透光性であれば着色していても構わないが、無色透明であれば立体絵柄の観察には好ましい。
【００４２】
（３）レンチキュラーレンズ母型
透明な材料であって紫外線透過性の優れた型材を使用できる。ガラス、ポリプロピレン、ポリカーボネート、アクリル等の板材を彫刻し切削研磨して使用できる。本実施例ではポリプロピレン樹脂板が、樹脂の離型性が優れ好結果であった。母型材には厚み、０．５ｍｍ〜１．０ｍｍ程度のものを使用できる。紫外線光源を組み入れたガラス板でバックアップすることができる。
【実施例１】
【００４３】
以下、図１、図３、図４、図５等を参照して本発明の実施例を説明するが、各図に対応する符号には、同一符号を付して説明している。
【００４４】
＜立体画像、変化画像の製版・印刷＞
立体画像用として、６枚のオリジナル原稿（写真）を撮影し、１／６の長体絵柄に変換した後、ピッチ幅１５０μｍのレンチキュラーレンズ下に配置できるように２５μｍ幅の細線画像に切り出しした。切り出した細線画像を６絵柄ずつ順番に配置して並べ、オリジナル原稿の絵柄寸法（横１５０ｍｍ）になるようにした（図３の工程参照）。
同様にして、「新発売」の文字や「マーク」が３変化する変化画像を準備した。
なお、長体絵柄への変換には色分解スキャナーを使用し、画像の切り出しや再配置には、コンピュータと画像処理ソフトウェアを使用した。
【００４５】
立体画像２と変化画像３を、通常の印刷絵柄４と組み合わせした原版を、ＣＴＰ（コンピュータ  タイプ  プレイティング）で、７００線／ｉｎ．の刷版化し、枚葉オフセット印刷機を使用して高精細オフセット印刷を行った。用途は中吊り広告用ポスター１ｐとするものである。なお、印刷用紙には、アート紙４６判／１３５ｋｇ斤量を使用し、印刷インキにはオフセット印刷用枚葉インキ［ザ・インクテック株式会社製「エイクロス」］を使用した。また、印刷時に検知マークを検出して自動パンチ機械で、各印刷紙のくわえ部分に位置合わせ用のピン穴ｐ１，ｐ２を設けた（図４参照）。
【００４６】
＜レンズ樹脂の印刷・レンズの成形＞
レンチキュラーレンズ用のポジフィルムとしては、ライン−アンド−スペースからなるストライプ状パターンを用いた。遮光部の幅を８５μｍ、透明部の幅を６５μｍとし、繰り返しピッチｐが、１５０μｍになるようにした。
レンチキュラーレンズ樹脂印刷用スクリーン版には、メッシュ数６０／ｉｎｃｈの感光性スクリーン生地（スチールメッシュ、厚み；４００μｍ）を使用した。
【００４７】
次に、立体画像２と変化画像３用絵柄の上に、上記印刷用スクリーン版を用いて、透明な光硬化型アクリルモノマー（分子量８００）からなるスクリーンインキによりレンズ樹脂を高さｈが２６０μｍ〜２８０μｍ程度になるように印刷した（図５（Ａ）参照）。
その後、レンズピッチ１５０μｍ、レンズ頂部の高さｈが２５０μｍで、２４度角度レンズを有するポリプロピレン板からなるレンチキュラーレンズレンズ母型を用い、当該レンズ樹脂面から押圧し成形した。同時に、ＵＶランプ（水銀灯）８から紫外線を照射して、レンズ樹脂５ａを硬化させた（図５（Ｂ）参照）。レンズ母型７を剥離して、図１のようなレンチキュラーレンズ印刷物１ｐが完成した。それにより、レンズピッチ１５０μｍ、レンズ頂部の高さｈが２５０μｍ、谷部の厚みは１０μｍとなった。
なお、レンズ樹脂印刷時とレンズ母型による成形時には、それぞれの型枠に設けたピンと印刷物のピン穴を嵌合させて位置合わせするようにした。
【実施例２】
【００４８】
＜立体画像、変化画像の製版・印刷＞
立体画像用として、８枚のオリジナル原稿（写真）を撮影し、１／８の長体絵柄に変換した後、ピッチ幅１８０μｍのレンチキュラーレンズ下に配置できるように２２．５μｍ幅の細線画像に切り出しした。切り出した細線画像を８絵柄ずつ順番に配置して並べ、オリジナル原稿の絵柄寸法（横３６０ｍｍ）になるようにした（図３の工程参照）。
同様にして、「新発売」の文字や「マーク」が３変化する変化画像を準備した。
【００４９】
印刷材料にポリスチレンベースの合成紙［日清紡績株式会社製「ピーチコートＷＧ−２２０」（１８０ｋｇ／４６判）］を使用し、印刷インキには、紫外線硬化型オフセット枚葉インキ［ザ・インクテック株式会社製「ＵＶカード」］を使用した以外は、実施例１と同一の条件のオフセット印刷により、図１のように、通常の印刷絵柄４と当該絵柄中に組み込みした立体画像２と変化画像３を有する屋外広告用ポスター１ｐを印刷した。
【００５０】
＜レンズ樹脂の印刷・レンズの成形＞
レンチキュラーレンズ用のポジフィルムとしては、ライン−アンド−スペースからなるストライプ状パターンを用いた。遮光部の幅を１００μｍ、透明部の幅を８０μｍとし、繰り返しピッチｐが、１８０μｍになるようにした。
レンチキュラーレンズ樹脂印刷用スクリーン版には、メッシュ数６０／ｉｎｃｈ．の感光性スクリーン生地（スチールメッシュ、厚み；４００μｍ）を使用した。印刷時は盛り量を多くするため実施例１よりはスキージ圧を高くした。
【００５１】
レンチキュラーレンズ樹脂印刷用スクリーン版には上記で製版したものを使用し、レンズ母型には実施例１と同様であるが、ピッチが１８０μｍ、レンズ頂部の高さｈが４００μｍのものを使用した。
レンズ樹脂に、透明なポリエステル樹脂系紫外線硬化型シルクスクリーンインキ（十条ケミカル株式会社製「４１００ＲＬＢ」）を使用し、立体画像２と変化画像３用絵柄の上に、上記印刷用スクリーン版を用いて、レンズ樹脂高さｈが４１０μｍ〜４３０μｍ程度になるように印刷した（図５（Ａ）参照）。その後、レンズ樹脂５ａの成形・硬化を実施例１と同様に行った（図５（Ｂ）参照）。成形後のレンズ頂部の高さｈは、４００μｍであり、レンズピッチｐは、１８０μｍ、谷部の厚みは、３０μｍとなった。
【００５２】
実施例１のレンチキュラーレンズ印刷物１ｐは、立体画像２と変化画像３を明瞭に観察でき、吊り下げ広告用として好適な印刷物であった。
実施例２のレンチキュラーレンズ印刷物１ｐは、立体画像２と変化画像３を明瞭に観察でき、屋外広告用ポスターとして好適な印刷物であった。
【産業上の利用可能性】
【００５３】
以上の説明においては、ポスター等の表示用印刷物について主として説明しているが、各種出版印刷物の見開きページや表紙、表紙カバー、カレンダー、料理用メニュー、折り込み広告、チラシ、カード類、レコードジャケット、アルバム類、包装用紙カートン、プラスチック包装材料の印刷物としても好適に利用できるものであって、これらの用途が本発明の適用範囲から除外されるものではない。
【図面の簡単な説明】
【００５４】
【図１】レンチキュラーレンズ印刷物の例を示す図である。
【図２】レンチキュラーレンズ印刷物を観察する状態を示す図である。
【図３】立体画像の製版工程を説明する図である。
【図４】印刷紙のピン穴を示す図である。
【図５】レンズ母型での成形工程を説明する図である。
【符号の説明】
【００５５】
１    印刷物
１ｐ  ポスター
２    立体画像
３    変化画像
４    通常の印刷絵柄
５    レンチキュラーレンズ
５ａ  レンズ樹脂
６    スクリーン版
７    レンズ母型
８    ＵＶランプ
１０    基材、用紙
【図１】
2006251608.tif 000003
【図２】
2006251608.tif 000004
【図３】
2006251608.tif 000005
【図４】
2006251608.tif 000006
【図５】
2006251608.tif 000007